(57)【要約】【課題】地中アンカの埋設深さを容易に知ることができるようにする。【解決手段】一端側に軸棒に掘削刃を有する地中アンカを接続する地中アンカ接続部を有するとともに、他端側に回転機械に装着される回転機械装着部を有する地中アンカ埋設用施工工具であって、その地中アンカ埋設用施工工具の本体には、長手方向の所定の位置に目印を設ける。【選択図】      図１
2006152748.tif 000002
【特許請求の範囲】
【請求項１】
一端側に軸棒に掘削刃を有する地中アンカを接続する地中アンカ接続部を有するとともに、他端側に回転機械に装着される回転機械装着部を有する地中アンカ埋設用施工工具であって、
前記地中アンカ埋設用施工工具の本体には、長手方向の所定の位置に目印を設けたことを特徴とする地中アンカ埋設用施工工具。
【請求項２】
請求項１に記載の地中アンカ埋設用施工工具において、目印は、地中アンカ埋設用施工工具の本体の長手方向に沿って所定の間隔を保って複数個設けられていることを特徴とする地中アンカ埋設用施工工具。
【請求項３】
請求項２に記載の地中アンカ埋設用施工工具において、目印は、目印毎に異なる色付けがなされていることを特徴とする地中アンカ埋設用施工工具。
【発明の詳細な説明】
【技術分野】
【０００１】
本発明は、地中アンカ埋設用施工工具に係り、特に、施工性の向上に資することができるようにしたものに関する。
【背景技術】
【０００２】
本出願人は、配電線や電話線等の電柱、あるいは信号機のポール等の構造物（以下、電柱で説明する。）を支持するための支線を地中において支持するのに好適な地中アンカを提案しているとともに、その地中アンカを埋設するときに好適な地中アンカ埋設用施工工具も提案している（特許文献１〜４参照。）。この地中アンカは、地中に埋設される鋳鉄製の軸棒（支持棒）の先端側に間欠的に螺旋状の掘削刃を一体的に設けて構成されている。
【０００３】
すなわち、この提案に係る地中アンカは、鋳鉄製の棒状の軸棒（支持棒）に所定の間隔を保って、かつ、先端側（地中に埋設される側）よりも上部ほど直径が大きくなる螺旋状の掘削刃を一体的に設けて構成されている。そして、この地中アンカは、電柱を立設するときの穴掘建柱車の回転部、いわゆるオーガの先端部に全体形状が筒状体をなす地中アンカ埋設用施工工具を取付けるとともに、その地中アンカ埋設用施工工具の先端部に地中アンカを取付けて地中の任意の深さに簡単に埋設できる特長を有している。
【特許文献１】特開２０００−１８５０号公報
【特許文献２】特開２００１−５９２２１号公報
【特許文献３】特開２００１−１８２０５８号公報
【特許文献４】特開２００４−２３６４９０号公報
【発明の開示】
【発明が解決しようとする課題】
【０００４】
上述のように、上記提案に係る地中アンカ埋設用施工工具は、これを用いると、穴掘建柱車で極めて容易に地中アンカを埋設できるという特長を有しているが、地中アンカが実際にどの程度の深さに埋設されているかを知るには、地中から露出している分を埋設作業を中断して実測しなければならないという不便があった。
【０００５】
すなわち、地中アンカの埋設深さは、地中アンカを埋設する前であれば、地中アンカの先端位置から地中アンカ埋設用施工工具の他端位置（地中アンカが接続されている位置と反対側の位置で、穴掘建柱車のオーガに接続されている位置）までの長さを測定しておき、地中アンカの埋設作業の途中で地表面から露出している地中アンカ埋設用施工工具の長さを測定すれば、地中アンカの埋設深さを測定することができるので、地中アンカの埋設深さを知るには、地中アンカ埋設用施工工具の地表から出ている部分を実測する必要があり、埋設作業能率が低下するという問題点があった。
【０００６】
そこで、本発明は、上記問題点を解決するためになされたものであって、その目的は、地中アンカの埋設深さを極めて容易に知ることのできる地中アンカ埋設用施工工具を提供することにある。
【課題を解決するための手段】
【０００７】
本発明に係る地中アンカ埋設用施工工具は、上記目的を達成するために、請求項１に記載の発明は、一端側に軸棒に掘削刃を有する地中アンカを接続する地中アンカ接続部を有するとともに、他端側に回転機械に装着される回転機械装着部を有する地中アンカ埋設用施工工具であって、その地中アンカ埋設用施工工具の本体には、長手方向の所定の位置に目印を設けたことを特徴としている。
本発明の請求項２に記載の地中アンカ埋設用施工工具において、目印は、地中アンカ埋設用施工工具の本体の長手方向に沿って所定の間隔を保って複数個設けられていることを特徴としている。
本発明の請求項３に記載の地中アンカ埋設用施工工具において、目印は、目印毎に異なる色付けがなされていることを特徴としている。
【発明の効果】
【０００８】
本発明の請求項１に記載の地中アンカ埋設用施工工具は、地中アンカ埋設用施工工具の本体には、長手方向の所定の位置に目印を設けたので、地中アンカ埋設用施工工具の本体に設けられている目印と地表面とから地中アンカの埋設深さを極めて容易に知ることができる。
本発明の請求項２に記載の地中アンカ埋設用施工工具において、目印は、地中アンカ埋設用施工工具の本体の長手方向に沿って所定の間隔を保って複数個設けられているので、地中アンカの埋設深さを高精度に知ることができる。
本発明の請求項３に記載の地中アンカ埋設用施工工具において、目印は、目印毎に異なる色付けがなされているので、地中アンカの埋設深さを高精度に、かつ、容易に知ることができる。
【発明を実施するための最良の形態】
【０００９】
以下、本発明を実施するための最良の形態を図面に基づいて説明する。先ず、本発明に係る地中アンカ埋設用施工工具（以下、「施工工具」という。）１を説明する前に、その施工工具１によって地中に埋設される地中アンカについて説明する。図１中、Ａは、その地中アンカを示していて、その全体形状は棒状を呈している。そして、この地中アンカＡの地中に埋設される側（図１では下端部側）の先端部には、地中アンカＡの長手方向に沿って所定の間隔を保って間欠的に複数個（図示の例では４個）の螺旋状の掘削刃ａ1 〜ａ4 が一体的に設けられている。これら螺旋状の掘削刃ａ1 〜ａ4 は、上方に行くほど、すなわち、掘削刃ａ1 よりもａ2 、また、ａ2 よりもａ3 の方が大径となるように構成されている。これら螺旋状の掘削刃ａ1 〜ａ4 の地中に進入する側及び外周は、尖鋭に形成されている。また、地中アンカＡの先端部分は、周知のドリルと同様に、切込刃を有するドリル部ａ5 に形成されている。
【００１０】
地中アンカＡの先端部と反対側、すなわち、ドリル部ａ5 の設けられている側と反対側の上端側で、地中アンカＡが地中に埋設されたときの地表面側には、地中アンカＡの棒状体の径よりも少し大きな径を有するつば部ａ6 が設けられているとともに、そのつば部ａ6 の上面には、四角柱からなる角柱部ａ7 に形成されていて、後述する施工工具１の地中アンカ接続部に嵌合できるように構成されている。そして、図１中、ａ8 は、角柱部ａ7 に設けられた孔で、後述する支線棒Ｂに取付けられるように構成されている。
【００１１】
さて、施工工具１は、鋼製の１本の筒状体２からなり、その一端側（図１の例では下端側）には、地中アンカＡの角柱部ａ7 が着脱自在に嵌合される、本発明の地中アンカ接続部に相当する角穴３が設けられているとともに、その他端側（図１では上端側）は、本発明の回転機械に相当する図示しない穴掘建柱車のオーガＯに設けられている角柱状の挿入口Ｏ1 に挿入される角柱の装着部４（本発明の回転機械装着部に相当している。）に形成されている。そして、その筒状体２の内部は、角穴３に開口した後述する支線棒Ｂを収納するのに十分な容積を有する空間５が設けられている。
【００１２】
図１中、Ｂは、地中アンカＡの角柱部ａ7 に設けられた孔ａ8 に取付けられている支線棒であり、下部に設けられているリングｂ1 を介して孔ａ8 に接続され、また、その支線棒Ｂの上部に設けられているリングｂ2 は、支線棒Ｂが筒状体２の空間５内に挿入されたとき、筒状体２の空間５の天井部分に設けられている溝６に挿入できるように構成されている。
【００１３】
図１中、７は、貫通孔であって、溝６の設けられている部分の筒状体２に設けられている。したがって、溝６に支線棒Ｂのリングｂ2 が挿入されている状態で、貫通孔７にボルト８が挿入され、そのボルト８にナット９が螺合されると、支線棒Ｂを施工工具１に連結させることができる。
【００１４】
図１中、Ｍ1 〜Ｍ3 は目盛（本発明の目印に相当している。）であって、筒状体２の長手方向に沿って所定の間隔を保って、かつ、その周囲に設けられている。なお、図１では、図面を簡略にするために３本の目盛しか設けられていないが、後述する図２に示されるように、さらに多くの目盛（図２では７本）とすることもできる。もちろん、この目盛は、筒状体２の長手方向の所定位置に、例えば、地中アンカＡの角柱部ａ7 が角穴３に挿入された状態で地中アンカＡの先端位置（ドリル部ａ5 の位置）から１．５ｍの位置に１本の目盛を設けるようにしてもよい。
【００１５】
これら目盛Ｍ1 〜Ｍ3 は、筒状体２の周囲に浅い溝条を形成する形で、つまり刻印する形で設けられている。そして、各目盛Ｍ1 〜Ｍ3 は、互いに異なる色彩のペイントで色付けされている。例えば、目盛Ｍ1 は黄色、Ｍ2 は赤色、Ｍ3 は青色に色付けされている。したがって、その着色により地中アンカＡの埋設深さを極めて容易に知ることができる。また、これら目盛Ｍ1 〜Ｍ3 の近傍には、図示しないが地中アンカＡの埋設深さを示す具体的な数値がそれぞれ刻印されている。したがって、その数値により地中アンカＡは実際の埋設深さを知ることが可能となる。なお、本発明における地中アンカＡの埋設深さは、地中アンカＡの軸心方向の長さを指しているが、通常、地中アンカＡは、後述するように所定の傾斜角度をもって埋設されるので、地中アンカＡの埋設深さを地表面から垂直の線で、その垂直の線が地中アンカＡの先端部（ドリル部ａ5 ）に位置するまでの長さとすることができる。この場合は、目盛Ｍ1 〜Ｍ3 は、地中アンカＡの埋設される傾斜角を考慮した値に基づいて設けられる。
【００１６】
上述の目盛Ｍ1 〜Ｍ3 は、筒状体２の周囲に溝条を設けて形成したが、これをペイント等で描いて表示してもよい。しかし、ペイント表示としたときは、筒状体２が地中に接すると消えやすいので、上述のように溝条とすると消失のおそれがないので好ましい。また、目盛への色付けに不便であるが、筒状体２の周囲に肉盛をする形で目盛を設けることも可能である。このように肉盛としたときも消えにくいという特長がある。
【００１７】
次に、上記構成からなる施工工具１を用いた地中アンカＡの埋設について図２を用いて説明する。地中アンカＡを地中に埋設するには、先ず、筒状体２の装着部４がオーガＯの挿入口Ｏ1 に挿入される。そして、脱落防止のために、オーガＯの先端に設けられている貫通孔Ｏ2 及び装着部４に設けられている貫通孔４ａにボルトＯ3 が挿入されてナットＯ4 で固定される。
【００１８】
次いで、筒状体２の空間５に支線棒Ｂが挿入され、角穴３に地中アンカＡの角柱部ａ7 が嵌合される。そして、筒状体２に設けられている貫通孔７にボルト８が挿入されるとともに、そのボルト８にナット９が螺合され、これにより、支線棒Ｂと筒状体２とが連結状態に保たれる。
【００１９】
オーガＯを押圧状態を保ちながら、さらに図２に示されるように、支線棒Ｂに要求される傾きに合わせた状態で回転させると、地中アンカＡは、螺旋状の掘削刃ａ1 〜ａ4 の作用により地中Ｇに埋設される。そして、地中アンカＡが所定深さに埋設された後、すなわち、筒状体２に設けられている目盛Ｍ1 〜Ｍ7 のうちの所定の目盛が地表面Ｇ′の位置に接したときに、ナット９を外してボルト８を筒状体２から抜いてオーガＯを上方へ移動させると、筒状体２は地中アンカＡから外れて、地中アンカＡ及び支線棒Ｂは、地中に埋設された状態に保たれる。その後、地表面Ｇ′上に現れた支線棒Ｂには、図示しないワイヤが取付けられて電柱が支持される。
【図面の簡単な説明】
【００２０】
【図１】本発明の一実施の形態に係る施工工具を用いて地中アンカを埋設するときの分解斜視図である。
【図２】施工状態を示す説明図である。
【符号の説明】
【００２１】
Ａ  地中アンカ
ａ1 〜ａ4   螺旋状の掘削刃
ａ5   ドリル部
ａ6   つば部
ａ7   角柱部
１  地中アンカ埋設用施工工具（施工工具）
２  筒状体
３  角穴（地中アンカ接続部）
４  装着部（回転機械装着部）
７  貫通孔
８  ボルト
９  ナット
Ｏ  オーガ（回転機械）
Ｂ  支線棒
ｂ1 ，ｂ2   リング
【図１】
2006152748.tif 000003
【図２】
2006152748.tif 000004
【手続補正書】
【提出日】平成16年12月8日(2004.12.8)
【手続補正１】
【補正対象書類名】明細書
【補正対象項目名】０００９
【補正方法】変更
【補正の内容】
【０００９】
以下、本発明を実施するための最良の形態を図面に基づいて説明する。先ず、本発明に係る地中アンカ埋設用施工工具（以下、「施工工具」という。）１を説明する前に、その施工工具１によって地中に埋設される地中アンカについて説明する。図１中、Ａは、その地中アンカを示していて、その全体形状は棒状を呈している。そして、この地中アンカＡの軸棒ａ′の地中に埋設される側（図１では下端部側）の先端部には、地中アンカＡの長手方向に沿って所定の間隔を保って間欠的に複数個（図示の例では４個）の螺旋状の掘削刃ａ1 〜ａ4 が一体的に設けられている。これら螺旋状の掘削刃ａ1 〜ａ4 は、上方に行くほど、すなわち、掘削刃ａ1 よりもａ2 、また、ａ2 よりもａ3 の方が大径となるように構成されている。これら螺旋状の掘削刃ａ1 〜ａ4 の地中に進入する側及び外周は、尖鋭に形成されている。また、地中アンカＡの先端部分は、周知のドリルと同様に、切込刃を有するドリル部ａ5 に形成されている。
【手続補正２】
【補正対象書類名】明細書
【補正対象項目名】００２１
【補正方法】変更
【補正の内容】
【００２１】
Ａ  地中アンカ
ａ′  軸棒
ａ1 〜ａ4   螺旋状の掘削刃
ａ5   ドリル部
ａ6   つば部
ａ7   角柱部
１  地中アンカ埋設用施工工具（施工工具）
２  筒状体
３  角穴（地中アンカ接続部）
４  装着部（回転機械装着部）
７  貫通孔
８  ボルト
９  ナット
Ｏ  オーガ（回転機械）
Ｂ  支線棒
ｂ1 ，ｂ2   リング
【手続補正３】
【補正対象書類名】図面
【補正対象項目名】図１
【補正方法】変更
【補正の内容】
【図１】
2006152748.tif 000005